(57)【要約】      （修正有）【課題】病院や福祉・介護施設にて日常的に行われるベッド移動の際に、ベッドに巻き付けたナースコール用呼び出し子機の接続線又は接続装置に於いて、接続装置がロック機構付であるため接続線に強い張力が加えられ、破損することが頻発している。【解決手段】接続装置の結合の為に支持部材の表面付近に磁石部材を取り付け、接点部材を弾性体または接点部材に弾性体を取り付けて、磁気的吸引力と弾性体の反発力を用いることで、ベッド移動で強い張力が加えられても接続線及び接続装置を痛めることがなく接続が外れることが特徴の接続装置。【選択図】図１
2006095040.tif 000002
【特許請求の範囲】
【請求項１】
絶縁体である支持部材（１）の表面付近に磁石部材（２）を取り付け、前記支持部材（１）に導体の接点部材（４Ａ、４B）を弾性体(5)を介して支持させたコネクタ手段の一対を互いに対向させて、前記磁石部材の磁気的吸引力と前記弾性体の反発力により、接点部材の接合が浅くても確実に接続出来るナースコール呼び出し用子機の接続装置。  
【請求項２】
請求項１記載の接点部材に弾性力を持つ金属を用いることにより請求項１の弾性体を省き、磁石部材の磁気的吸引力と接点部材の弾性力により、接点部材の接合が浅くても確実に接続出来るナースコール呼び出し用子機の接続装置。  
【請求項３】
請求項１及び請求項２に於いて、対向した磁石部材の一方を強磁性体に置き換えて請求項１及び請求項２と同様な機能を発揮するナースコール呼び出し用子機の接続装置。  
【請求項４】
請求項１及び請求項２に於いて、対向した磁石部材にそれぞれ異なる磁極を形成することにより、正しい接続では異なる磁極同士の吸引で接続され、誤った接続では同じ磁極の反発により接続が出来ない様に磁石部材を配置したナースコール呼び出し用子機の接続装置。
【発明の詳細な説明】
【技術分野】
【０００１】
本発明は、病院及び福祉・介護施設で使用されるナースコール呼び出し用子機の接続装置に関する。
【背景技術】
【０００２】
従来から、ナースコール設備は、図５に示す構成が提案されている。同図に示すナースコール設備は、病室A,B・・・（福祉・介護施設では居室A,B・・・）のベッドサイドにナースコール呼び出し用子機（１３，１４）が設置され、接続線（１５）、接続装置（１２）を経由して壁取り付け装置（１１）に接続されている。さらに、前記壁取り付け装置から接続線（１５）、廊下灯（１０）、接続線（１５）を経由してナースステーション（福祉・介護施設ではスタッフステーション）に設置されているナースコール親機へと接続されている。    
【０００３】
この様に構成されたナースコール設備に於いて、ナースコール呼び出し用子機から呼び出しボタンを押すことによって、ナースコール親機を呼び出し、通話機能がある設備では通話することが出来る。また、ナースコール親機からナースコール子機側を呼び出すことも出来る。    
【０００４】
ナースコール設備は、患者（福祉・介護施設では被介護者）が看護師（福祉・介護施設では介護士など）を呼び出す為の手段であって、ナースコール呼び出し用子機が断線していたり、接続装置が外れていたりして呼び出しが出来ないことがあってはならない。その為に、断線や接続の外れについては、接続線に電流が流れなくなることを検出して警報を発する方法が既に公知となって採用されている。    
【０００５】
一方、接続装置が外れることを防ぐ為に、下記（A）〜（D）に示す抜け防止構造(ロック機構)を有する接続装置が提案されている。（A） ビス、ナットで対向するコネクタをネジ止めしたもの（B） 爪形状の部材を弾性力で対向するコネクタの溝に挟み結合したもの（C） 丸型コネクタのネジ駆動による結合（D） ビス状突起に対向した穴開き部材を穴に挿入後スライドして固定したものまた、磁石を利用した接続装置には特許文献１、２、３、４に示した事例がある。
【特許文献１】特許公開２０００−１２１４５
【特許文献２】特許公開平８−２９８１６４
【特許文献３】特許公開２００３−３０３６４６
【特許文献４】特許公開平８−２０３６０９
【発明の開示】
【発明が解決しようとする課題】
【０００６】
従来の接続装置では、病院や福祉・介護施設にて日常的に実施されるベッド移動の際、ベッドに巻き付けたナースコール用呼び出し子機の接続線または接続装置が強い張力で破損することが頻繁に発生している。ナースコール用呼び出し子機は、いつでも呼び出しが出来るように患者の手元近くに置きたいため、ベッドの頭部柵またはサイドの柵に接続線を巻きつけた形態で使用されることが多い。    
【０００７】
接続装置は抜け防止機構になっている為、接続線が強く引っ張られ、張力が接続線の張力限界以上になると断線する。  接続線を張力の強いものに変更すると、接続線は断線しなくなるが、接続装置が破損する。    
【０００８】
接続装置に抜け防止機構を利用しないで接続の摩擦力に依存すると、張力に対して摩擦力を弱くすれば容易に抜けるようになるが、日常の使用時に簡単に抜けてしまい、接続の信頼性が低下する。    
【０００９】
接続装置に抜け防止機構を利用しないで接続の摩擦力に依存する場合でも、壁面に対して斜め方向に張力がかかると容易に抜けず、接続装置を破損してしまう。  接続装置の接合の摩擦力を強くするには、接点部材がある程度以上の深い接合であることが必要となる。深い接合では垂直方向の力では抜けやすいが、斜め方向の力では抜け難く、接点部材を破損に至らしめる場合がある。  図５で示すように接続装置は、壁取り付け装置（１１）に接続されるが、ベッド移動を壁面に沿って移動した場合は、接続装置に張力が斜めに掛かり、容易には抜けず接続装置が破損する場合がある。    
【００１０】
本発明は、病院や福祉・介護施設にて日常的に行われるベッド移動の際にベッドに巻き付けたナースコール用呼び出し子機の接続線が強い張力によって断線したり、接続装置が破損する前に接続装置が外れて、ベッド移動後に接続装置を再接続して、ナースコール呼び出し用子機が継続して使用できることを目的としている。
【課題を解決するための手段】
【００１１】
本発明は、上記目的を達成する為に、接続装置の絶縁体である支持部材（１）の対向する表面付近に磁石部材（２）を取り付け、前記支持部材（１）に弾性体（５）を介して取り付けた導体の接点部材（４A,4B）を互いに対向させ、対向する前記磁石部材（２）同士の磁気的吸引力で対向する接点部材を接合させる。  磁石部材の吸引力は接続装置の抜け止め効果があるが、リード導線（３）の張力限界より弱い吸引力に設定すれば、吸引力以上の張力が加えられたとき、リード導線｛図５では接続線（１５）｝及び接続装置が破損する前に接続装置が外れる。    
【００１２】
接点部材（４A,４B）は、前記磁石部材（２）の吸引力と前記弾性体（５）の弾性力により接合が確実になると共に接合を浅く（5ｍｍ以下）することが出来る為、壁面に対して斜め方向に加えられた張力に対しても接点部材及び支持部材を破損することなく接続装置は外れる。    
【００１３】
前記磁石部材（２）の対向する一方を磁石部材とし、他方を鉄などの強磁性体にしても上記と同じ磁気的吸引力が得られる。    
【００１４】
互いに対向した磁石部材をそれぞれ異なる磁極で形成することによって、正しい接続では吸引力が働き、誤った接続では同じ磁極同士の反発力が働き、抜け止めのほかに誤った接続を防止できる。    
【００１５】
前記接点部材（４A,４B）に図２に示す様な弾性力を持つ材料を用いれば、弾性体（５）を使用しなくても同じ効果が得られる。
【発明の効果】
【００１６】
本発明の接続装置では、次に示す（１）〜（４）の効果が得られる。（１） 接点部材の電気的接続が、ロック機構なしで確実に出来る。（２） 接続線に強い張力が加えられた場合、接続線及び接続装置が破  損する前に外部の張力が磁気的吸引力に打ち勝って接続が外れる。  このことにより、接続線または接続装置の修理または交換が不要となる。（３） 磁気的吸引力と弾性体の弾性力または接点部材の弾性力により、接点部材の接合を浅くすることで、接続装置取り付けの壁面に斜めに加えられた張力に対して、接続装置及び接続線を痛めずに接続を外すことが出来る。（４） 接続がワンタッチででき、かつ誤った接続を防止できる。  
【発明を実施するための最良の形態】
【００１７】
本発明の接続装置には、下記（１）〜（４）の実施形態を持つ。（１） 接点部材を支える支持部材の表面近くに取り付けた磁石部材に対向する磁石部材または強磁性体の磁気的吸引力を利用して、コネクタ手段の一対の接続装置を抜け防止機能(一種のロック機構)を有するものとした。（２） 前記磁石部材の磁気的吸引力と接点部材に取り付けた弾性体の弾性力又は接点部材自身の弾性力により、対向する接点部材の接合が確実でかつ、接合を浅くすることで壁面に対して斜め方向の張力でも容易に接続装置が外れる様に図ったもの。（３） 接続装置とそれに使われる接続線及び接続線に外部から掛かる張力との関係に(接続装置の張力に対する強度)>（接続線の限界張力）>(接続線に加わる張力)>（磁気的吸引力）なる関係があれば、接続装置が外れ、接続線及び接続装置を破損しない。  接続線に加わる張力が弱く、磁気的吸引力の方が大きい場合は、上記（１）の抜け防止機能が働き、接続装置は接続状態を保持する。    （４）支持部材の表面付近に取り付けられた対向する磁石部材にそれぞれ異なる磁極を形成することによって、誤った接続を防止することを図ったもの。
【実施例】
【００１８】
以下、図面に基づいて本発明の実施例を説明する。図１は磁石部材（２）を絶縁体である支持部材（１）に互いに対向した位置に取り付けたコネクタA及びBの構造を持つ接続装置である。導体である接点部材（４A、４B）は弾性体（５）を介して前記支持部材（１）に固定されている。  接続状態にない状態のときは、接点部材は前方(対向する接点部材の方向を前方とする)へ弾性体の弾性力により支持部材の制限を受けるところまで押し出されている。  前記接点部材（４A，４B）には接続装置の外部へ接続されるリード導線（３）が電気的に接続されている。  図１では、コネクタA、Bの両側に弾性体（５）を持つが、どちらか一方だけでもよい。    
【００１９】
図２は、接点部材（４B）に弾性力を持つ金属を用いた接続装置で、弾性体を省略している。    
【００２０】
図４は、図１のコネクタA,Bが密着した場合の構造である。ここで対向する磁石部材は異なる磁極を持ち、磁気的吸引力が働きコネクタA,Bはしっかりと密着する。前方に張り出していた接点部材（４A,4B）は、磁石部材による磁気的吸引力と弾性体（５）による弾性力のバランスが取れた位置まで押し下げられ、４Aと４Bが電気的に接続する。    
【００２１】
図３は、対向する磁石部材（２）にそれぞれ異なる磁極を用いた構造を示す。図中において、コネクタAの上側と下側の磁石部材を異なる磁極に配置(図では上をN極、下をS極で示してある)し、それに対向するコネクタBにコネクタAとは異なる磁極を配置してある。コネクタA,Bが接近すると、N極とS極が引き合いコネクタA,Bは密着する。  コネクタを上下逆に接近させると、対向する磁極が同極同士となり反発して逆の接続が防がれる。    
【００２２】
図３のように磁気的吸引力で密着している接続装置（コネクタA,B）のリード導線に磁気的吸引力以上の張力が加えられると、接続が外れる。このとき、リード導線の張力に対する耐力と接続装置の接点部材の張力に対する耐力の方が外部から加えられた張力より大きければ、リード導線と接続装置は破損することがない。  この原理を利用して、ナースコール用呼び出し子機の接続装置は、強い張力に対して接続線及び接続装置を破損することがない。
【図面の簡単な説明】
【００２３】
【図１】接点部材に弾性体を取り付けた接続前を表すコネクタA,Bの断面図
【図２】接点部材に弾性力を持たせた接続前を表すコネクタA,Bの断面図
【図３】誤り接続を防止した接続前を表すコネクタA,Bの断面図
【図４】接合状態のコネクタA,Bの断面図
【図５】ナースコール設備の構成図
【符号の説明】
【００２４】
1.   支持部材2.   磁石部材3
.   リード導線４A,  ４B    接点部材5.   弾性体6.   接点支持材  7.   ナースコール親機8.   通話部9.   選局・表示部10.   廊下灯11.   ナースコール子機(壁取り付け装置)12.   接続装置13.   ナースコール呼び出し用子機(押しボタン式)14.   ナースコール呼び出し用子機(通話機能式)15.   接続線
【図１】
2006095040.tif 000003
【図２】
2006095040.tif 000004
【図３】
2006095040.tif 000005
【図４】
2006095040.tif 000006
【図５】
2006095040.tif 000007